(57)【特許請求の範囲】
【請求項１】
自転車駐車場の利用者の個人情報登録とこの個人情報に基づく登録利用者の利用契約とを処理するとともに前記個人情報の登録完了情報を記録した登録カード発行と前記登録利用者の利用契約情報を記録した各種の契約カード及び契約シール発行とを処理する契約管理機を設け、前記駐車場の出入口を開閉するゲートを設け、前記登録利用者が自転車を駐車場に入場させる際に前記登録カード及び契約カードのいずれかの挿入により前記ゲートを開放動作させる入場用ゲートポストを設け、前記登録利用者が自転車を駐車場から退場させる際に前記登録カード及び契約カードのいずれかの挿入により前記ゲートを開放動作させる退場用ゲートポストを設け、前記契約管理機と入場用ゲートポストと退場用ゲートポストとによる処理データを管理する管理用コンピュータを設け、前記入場用ゲートポストは、未登録利用者が自転車を駐車場に入場させる際に一時利用入場料の入金により動作されて契約カード及び契約シールとして簡易カード及び一時利用シールを発行するとともに前記ゲートを開放動作させる入場用ゲートポストであり、前記退場用ゲートポストは、未登録利用者が自転車を駐車場から退場させる際に前記簡易カードの挿入により動作されて前記ゲートを開放動作させる退場用ゲートポストであり、中心となる中核駐車場に対して相互接続される複数の周辺駐車場を設け、前記中核駐車場に設けた中核管理システムと前記周辺駐車場に設けた周辺管理システムとをデータ転送器を介して接続したことを特徴とする自転車駐車場統合管理システム。
【請求項２】
前記契約管理機は、各種の契約カード及び契約シールとして、一定期間の利用契約情報を記録した定期券カード及び定期利用シールと、１回だけの利用契約情報を記録した一時利用シールと、一定回数の利用契約情報を記録した回数利用カード及び一時利用シールと、を発行する契約管理機であることを特徴とする請求項１に記載の自転車駐車場統合管理システム。
【請求項３】
前記契約管理機は、各種の契約カード及び契約シールとして、定期券カード及び定期利用シールと、回数利用カードと、未契約者シールと、代車シールと、精算書と、を発行する契約管理機であることを特徴とする請求項１に記載の自転車駐車場統合管理システム。
【請求項４】
前記管理用コンピュータは、前記契約管理機による個人情報及び利用契約情報の処理データと前記入場用ゲートポストによる契約カードの挿入及び未登録利用者の一時利用入場料の入金の処理データと前記退場用ゲートポストによる契約カードの挿入の処理データとを管理する管理用コンピュータであることを特徴とする請求項１に記載の自転車駐車場統合管理システム。
【発明の詳細な説明】
【０００１】
【発明の属する技術分野】
この発明は自転車駐車場統合管理システムに係り、特に、自転車駐車場の管理を自動化し得て、管理業務を合理化し得て、利用者の利便性を向上し得る自転車駐車場統合管理システムに関する。
【０００２】
【従来の技術】
交通手段には、原動機を利用して大量の人員を高速で移動させる電車・自動車等や、人力を利用して移動する自転車等がある。特に、自転車は、省資源・無公害型の近距離交通手段として注目されている。
【０００３】
そこで、近時は、交通手段の利用形態として、自宅から最寄りの駅までの交通手段として自転車を利用し、遠距離の交通手段として電車を利用することにより、自動車による交通渋滞を解消し、燃料の節約と排気公害の減少を果たすことが提案されている。
【０００４】
【発明が解決しようとする課題】
ところで、近時は、駅前の放置自転車による交通の妨げが問題となっており、適切な自転車駐車場の建設が求められている。
【０００５】
ところが、自転車駐車場においては、利用者の利便性を確保しつつ多数の自転車を適切に管理しなければならないため、管理業務が複雑化する不都合がある。また、管理人を出入口に配置して管理する場合には、利用者の利便性を考慮して多数の出入口を配置すると効率の低下を招き、効率を追及すると利用者に不便を強いる不都合がある。
【０００６】
このため、自転車駐車場の管理を自動化し得て、管理業務を合理化し得て、利用者の利便性を向上し得る自転車駐車場統合管理システムの実現が望まれている。
【０００７】
【課題を解決するための手段】
そこで、この発明は、上述の不都合を回避するために、自転車駐車場の利用者の個人情報登録とこの個人情報に基づく登録利用者の利用契約とを処理するとともに前記個人情報の登録完了情報を記録した登録カード発行と前記登録利用者の利用契約情報を記録した各種の契約カード及び契約シール発行とを処理する契約管理機を設け、前記駐車場の出入口を開閉するゲートを設け、前記登録利用者が自転車を駐車場に入場させる際に前記登録カード及び契約カードのいずれかの挿入により前記ゲートを開放動作させる入場用ゲートポストを設け、前記登録利用者が自転車を駐車場から退場させる際に前記登録カード及び契約カードのいずれかの挿入により前記ゲートを開放動作させる退場用ゲートポストを設け、前記契約管理機と入場用ゲートポストと退場用ゲートポストとによる処理データを管理する管理用コンピュータを設け、前記入場用ゲートポストは、未登録利用者が自転車を駐車場に入場させる際に一時利用入場料の入金により動作されて契約カード及び契約シールとして簡易カード及び一時利用シールを発行するとともに前記ゲートを開放動作させる入場用ゲートポストであり、前記退場用ゲートポストは、未登録利用者が自転車を駐車場から退場させる際に前記簡易カードの挿入により動作されて前記ゲートを開放動作させる退場用ゲートポストであり、中心となる中核駐車場に対して相互接続される複数の周辺駐車場を設け、前記中核駐車場に設けた中核管理システムと前記周辺駐車場に設けた周辺管理システムとをデータ転送器を介して接続したことを特徴とする。
【０００８】
【発明の実施の形態】
この発明の自転車駐車場統合管理システムは、契約管理機とゲートと入場用ゲートポストと退場用ゲートポストと管理用コンピュータとを設けており、契約管理機によって、自転車駐車場の利用者の個人情報登録とこの個人情報に基づく登録利用者の利用契約とを処理するとともに、個人情報の登録完了情報を記録した登録カード発行と登録利用者の利用契約情報を記録した各種の契約カード及び契約シール発行とを処理する。登録利用者は、登録カードあるいは契約カードを入場用ゲートポストに挿入することによりゲートを開放動作させて自転車を駐車場に入場させることができるとともに、契約シールを自転車に添付して契約を明示することができ、また、登録カードあるいは契約カードを退場用ゲートポストに挿入することによりゲートを開放動作させて自転車を駐車場から退場させることができる。また、この管理システムは、管理用コンピュータによって契約管理機と入場用ゲートポストと退場用ゲートポストとによる処理データを管理することにより、個人情報や駐車場の利用状況をデータベースとして蓄積して容易に検索することができる。
【０００９】
【実施例】
以下図面に基づいて、この発明の実施例を説明する。図１〜図３１は、この発明の実施例を示すものである。図１〜図４において、２は自転車駐車場、４は管理システム、６はゲート、８は入場用ゲートポスト、１０は退場用ゲートポスト、１２は契約管理機、１４は管理コンピュータである。図示しない自転車や自動二輪車を駐車させる自転車駐車場２（以下「駐車場」と記す）には、自転車駐車場統合管理システム４を設けている。
【００１０】
自転車駐車場統合管理システム４は、駐車場２に、ゲート６と入場用ゲートポスト８と退場用ゲートポスト１０と契約管理機１２と管理コンピュータ１４とを配置している。
【００１１】
前記ゲート６は、駐車場２の出入口に設けられ、図５に示す如く、自転車を入退場させる門扉部１６とモータ等の駆動部１８とを有し、自転車の入退場時に開閉動作される。
【００１２】
前記入場用ゲートポスト８は、ゲート６の外側に設けられ、図６に示す如く、表示入力部２０とカード読取部２２とカード書換部２４とカード発行部２６とシール発行部２８と金銭処理部３０とゲート駆動部３２と入場用制御部３４とを有し、自転車を駐車場２に入場させる際にゲート６を開放動作させる。
【００１３】
前記退場用ゲートポスト１０は、ゲート６の内側に設けられ、図７に示す如く、案内表示部３６とカード読取部３８とカード書換部４０とゲート駆動部４２と退場用制御部４４とを有し、自転車を駐車場２から退場させる際にゲート６を開放動作させる。
【００１４】
前記ゲート６と入場用ゲートポスト８と退場用ゲートポスト１０とは、変換機１６を介して管理コンピュータ１４に接続されている。
【００１５】
前記契約管理機１２は、図８に示す如く、表示入力部４６とカード読取部４８とカード書換部５０とカード発行部５２とシール発行部５４と金銭処理部５６と契約管理制御部５８とを有し、登録や契約等を処理する。この契約管理機１２は、管理コンピュータ１４に接続されている。
【００１６】
前記管理用コンピュータ１４は、図９に示す如く、ディスプレイ６０と記憶部６２と管理用制御部６４と入力部６６とを有し、契約管理機１２と入場用ゲートポスト８と退場用ゲートポスト１０とによる処理データを管理する。また、この管理用コンピュータ１４には、カードリーダライタ６８が接続され、プリンタ７０が接続され、無停電装置７２を介して電源（図示せず）が接続されている。
【００１７】
前記契約管理機１２は、図３に示す如く、駐車場２の利用者の個人情報登録とこの個人情報に基づく登録利用者の利用契約とを処理するとともに、個人情報の登録完了情報を記録した登録カード７４の発行と登録利用者の利用契約情報を記録した各種の契約カード７６及び契約シール７８の発行とを処理する。
【００１８】
契約管理機１２は、契約カード７６及び契約シール７８として、一定期間の利用契約情報を記録した定期券カード７６−１及び定期利用シール７８−１と、一定回数の利用契約情報を記録した回数利用カード７６−２と、を発行する。また、契約管理機１２は、未契約者シール８６と、代車シール８８と、精算書９０と、を発行する。
【００１９】
前記入場用ゲートポスト８は、登録利用者が自転車を駐車場２に入場させる際に、前記契約管理機１２の発行する登録カード７４あるいは契約カード７６をカード読取機２２に挿入し、表示入力部２０の表示にしたがって入力操作することにより、ゲート駆動部３２によりゲート６を開放動作させる。
【００２０】
また、この入場用ゲートポスト８は、未登録利用者が自転車を駐車場２に入場させる際に、金銭処理部３０への一時利用入場料の入金と表示入力部２０の表示にしたがった入力操作とにより、カード発行部２６及びシール発行部２８により契約カード７６及び契約シール７８として簡易カード７６−３及び一時利用シール７８−２を発行するとともにゲート駆動部３２によりゲート６を開放動作させる。
【００２１】
前記退場用ゲートポスト１０は、登録利用者が自転車を駐車場２から退場させる際に、契約管理機１２の発行する登録カード７４あるいは契約カード７６をカード読取機３８に挿入することにより、カード書換部４０により回数利用カード７６−２に利用回数の減数を書込むとともにゲート駆動部４２によりゲート６を開放動作させる。
【００２２】
また、この退場用ゲートポスト１０は、未登録利用者が自転車を駐車場２から退場させる際に、案内表示部３６の表示にしたがい必要に応じて契約管理機１２による一時利用入場料の清算をした後に、前記簡易カード７６−３を挿入することにより、ゲート駆動部４２によりゲート６を開放動作させる。
【００２３】
前記管理用コンピュータ１４は、契約管理機１２による個人情報、未登録利用者による一時利用入場料の清算を含む利用契約情報と、入場用ゲートポスト８による契約カード７４の挿入及び未登録利用者の一時利用入場料の入金の処理データと、退場用ゲートポスト１０による契約カード７６の挿入の処理データとを管理し、個人情報や駐車場の利用状況をデータベースとして蓄積して各種のデータを提供する。
【００２４】
また、管理用コンピュータ１４は、カードリーダライタ６８により管理人用の業務カード８０を発行し、プリンタ７０により管理業務の帳票８２等を出力させる。なお、管理用コンピュータ１４には、図１に示す如く、駐車場２を監視して記録する映像記録装置（例えば、ＶＴＲ付ビデオカメラ）８４を接続することもできる。なお、図３において、符号８６は未契約者シール、符号８８は代車シール 、符号９０は清算書である。
【００２５】
次に作用を説明する。
【００２６】
自転車駐車場統合管理システム４は、駐車場２にゲート６と入場用ゲートポスト８と退場用ゲートポスト１０と契約管理機１２と管理コンピュータ１４とを配置している。この自転車駐車場統合管理システム４は、駐車場２の利用に先だって、自転車駐車場統合管理システム４に利用者の個人情報を登録し、利用者に登録カード７４を発行する。
【００２７】
登録カード７４の発行は、図１０に示す如く、処理がスタート（１００）し、利用者は契約管理機１２の表示入力部４６の表示にしたがい個人情報を入力操作して登録（１０１）すると、契約管理機１２のカード発行部５２により登録カード７４が発行（１０２）され、この登録カード７４の利用者が割引制度適用等の特定資格に該当するか否かを判断（１０３）する。
【００２８】
この判断（１０３）が該当である場合は、管理人は資格確認を行い、管理用コンピュータ１４の記憶部６２に記録されているデータベースと発行する登録カード７４とに資格を設定（１０４）し、エンド（１０５）にする。一方、この判断（１０３）が非該当である場合は、エンド（１０５）にする。
【００２９】
自転車駐車場統合管理システム４は、この発行された登録カード７４によって、利用者が駐車場２の定期利用や一時利用、回数利用を行えるように処理する。この登録カード７４は、基本機能として現金払いによる一時利用カードの機能を有している。自転車駐車場統合管理システム４は、この登録カード７４によって、定期利用の申込み（予約）や更新、変更、解約等の処理、一時利用の申込み、追加、払い戻し等の処理、駐車場２への入退場の処理を行う。
【００３０】
登録カード７４による定期利用は、図１１に示す如く、処理がスタート（１１０）すると、利用者は契約管理機１２の表示入力部４６により希望区画が満車であるか空車であるかを確認（１１１）する。
【００３１】
この確認（１１１）において空車の場合は、契約管理機１２のカード読取部４８に登録カード７４を挿入（１１２）し、表示入力部４６により定期券の種類、期間、駐車場２の区画等を選択して入力（１１３）し、金銭処理部５６に定期入場料を入金すると、カード発行部５２により定期券カード７６−１が発行され、シール発行部５４により定期利用シール７８−１が発行（１１４）される。
【００３２】
利用者は、発行された定期利用シール７８−１を自転車に添付して定期券カード７６−１を入場用ゲートポスト８のカード読取部２２に挿入（１１５）すると、ゲート駆動部３２によりゲート６が開放動作するので、自転車を入場させて契約区画に駐車させてから、退場する（１１６）。
【００３３】
利用者は、自転車を退場させる場合に、例えばゲート６の自転車用の門扉部１６に並設した利用者の出入口から入場（１１７）し、定期券カード７６−１を退場用ゲートポスト１０のカード読取部３８に挿入（１１８）すると、ゲート駆動部４２によりゲート６が開放動作し、カード読取部３８から定期券カード７６−１が排出され、自転車を退場（１１９）させることができ、エンド（１２０）にする。
【００３４】
一方、希望区画が満車であるか空車であるかの確認（１１１）において満車の場合は、その希望区画の空きを予約するか否を判断（１２１）する。この判断（１２１）において予約しない場合は、エンド（１２０）にジャンプする。
【００３５】
この判断（１２１）において予約する場合は、利用者は契約管理機１２のカード読取部４８に登録カード７４を挿入（１２２）し、表示入力部４６により定期の予約条件（希望区画等）を選択して入力（１２３）すると、挿入された登録カード７４にカード書換部５０により予約情報を書き込んで発行（１２４）し、契約案内書番号を記載した通知はがきは提出済みか否かを判断（１２５）する。
【００３６】
この判断（１２５）において通知はがきが未提出の場合は、表示入力部４６に通知はがきの提出を促す表示をすることにより通知はがきに自署させて提出（１２６）させ、エンド（１２０）にする。この判断（１２５）において通知はがきが提出済みの場合は、エンド（１２０）にする。
【００３７】
これにより、利用者は、駐車場２の定期利用を行うことができる。なお、利用者が定期券カード７６−１を忘れた場合には、管理人の確認によって貸与される臨時カード７６−４により、駐車場２に入退場することができる。この臨時カード７６−４は、入退場各１回に限り使用することができ、退場時に退場用ゲートポスト１０によって回収される。
【００３８】
登録カード７２による回数利用は、図１２に示す如く、処理がスタート（１３０）すると、契約管理機１２のカード読取部４８に登録カード７４を挿入（１３１）し、表示入力部４６により回数券の車種・度数を選択して入力（１３２）し、金銭処理部５６に回数入場料を入金すると、カード発行部５２により回数利用カード７６−２が発行（１３３）される。
【００３９】
利用者は、発行された回数利用カード７６−２を入場用ゲートポスト８のカード読取部２２に挿入すると、カード書換部２４により回数利用カード７６−２に利用回数の減数が書込まれて、シール発行部２８により一時利用シール７８−２が発行（１３４）される。
【００４０】
利用者は、発行された一時利用シール７８−２を自転車に添付し、回数利用カード７６−２の挿入により開放動作されたゲート６から自転車を入場させて駐車させてから、退場する（１３５）。
【００４１】
利用者は、自転車を退場させる場合に、例えば、ゲート６の自転車用の門扉部１６に並設した利用者の出入口から入場（１３６）し、回数利用カード７６−２の残度数が足りるか否かを判断（１３７）する。
【００４２】
この判断（１３７）において残度数が足りない場合は、契約管理機１２の金銭処理部５６により回数利用カード７６−２の度数を買い足し（１３８）、回数利用カード７６−２を退場用ゲートポスト１０のカード読取部３８に挿入（１３９）する。この判断（１３７）において残度数が足りている場合は、回数利用カード７６−２を退場用ゲートポスト１０のカード読取部３８に挿入（１３９）する。
【００４３】
退場用ゲートポスト１０は、挿入された回数利用カード７６−２から駐車時間に応じて度数をカード書換部４０により追加減算して排出し、ゲート駆動部４２によりゲート６を開放動作させ、自転車を退場（１４０）させることができ、エンド（１４１）にする。
【００４４】
これにより、利用者は、駐車場２の回数利用を行うことができる。
【００４５】
登録カード７２による一時利用は、図１３に示す如く、処理がスタート（１５０）すると、利用者は入場用ゲートポスト８の表示入力部２０により一時利用の区画が満車であるか空車であるかを判断（１５１）する。
【００４６】
この判断（１５１）が空車の場合は、入場用ゲートポスト８のカード読取部２２に登録カード７４を挿入（１５２）し、表示入力部２０により車種を選択して入力し、金銭処理部３０に一時入場料を入金（１５３）すると、カード読取部２２から登録カード７４を排出して戻し、シール発行部２８により一時利用シール７８−２が発行（１５４）される。
【００４７】
利用者は、発行された一時利用シール７８−２を自転車に添付し、前記（１５３）、（１５４）の処理により開放動作されたゲート６から自転車を入場させて駐車させてから、退場する（１５５）。
【００４８】
利用者は、自転車を退場させる場合に、例えば、ゲート６の自転車用の門扉部１６に並設した利用者の出入口から入場（１５６）し、一時入場料の清算が必要か否かを判断（１５７）する。
【００４９】
この判断（１５７）において清算が必要な場合は、契約管理機１２の金銭処理部５６により追加料金を入金して清算（１５８）し、この清算完了を記録した登録カード７４を退場用ゲートポスト１０のカード読取部３８に挿入（１５９）する。この判断（１５７）において清算が不要な場合は、登録カード７４を退場用ゲートポスト１０のカード読取部３８に挿入（１５９）する。
【００５０】
退場用ゲートポスト１０は、登録カード７４の挿入によってゲート駆動部４２によりゲート６を開放動作させ、自転車を退場（１６０）させることができ、エンド（１６１）にする。なお、前記判断（１５１）が満車の場合は、エンド（１６１）にする。
【００５１】
これにより、利用者は、駐車場２の一時利用を行うことができる。
【００５２】
このように、この自転車駐車場統合管理システム４は、利用者の個人情報を登録して登録カード７４を発行し、この発行された登録カード７４によって、利用者が駐車場２の定期利用や一時利用、回数利用を行えるように処理する。
【００５３】
また、この自転車駐車場統合管理システム４は、未登録者利用者が登録せずに一時利用することもできる。登録せずに一時利用する場合は、図１４に示す如く、処理がスタート（１７０）すると、利用者は入場用ゲートポスト８の表示入力部２０により一時利用の区画が満車であるか空車であるかを判断（１７１）する。
【００５４】
この判断（１７１）が空車の場合は、入場用ゲートポスト８の表示入力部２２により車種を選択して入力し、金銭処理部３０に一時入場料を入金（１７２）すると、カード発行部２６により契約カード７６として簡易カード７６−３が発行され、シール発行部２８により契約シール７８として一時利用シール７８−２が発行（１７３）される。
【００５５】
利用者は、発行された一時利用シール７８−２を自転車に添付し、前記（１７２）、（１７３）の処理により開放動作されたゲート６から自転車を入場させて駐車させてから、退場する（１７４）。
【００５６】
利用者は、自転車を退場させる場合に、例えば、ゲート６の自転車用の門扉部１６に並設した利用者の出入口から入場（１７５）し、一時入場料の清算が必要か否かを判断（１７６）する。
【００５７】
この判断（１７６）において清算が必要な場合は、契約管理機１２金銭処理部５６により追加料金を入金して清算（１７７）し、この清算完了を記録した簡易カード７６−３を退場用ゲートポスト１０のカード読取部３８に挿入（１７８）する。この判断（１７６）において清算が不要な場合は、簡易カード７６−３を退場用ゲートポスト１０のカード読取部３８に挿入（１７８）する。
【００５８】
退場用ゲートポスト１０は、簡易カード７６−３の挿入によってゲート駆動部４２によりゲート６が開放動作し、自転車を退場（１７９）させることができ、エンド（１８０）にする。なお、簡易カード７６−３は、入退場各１回に限り使用することができ、退場時に退場用ゲートポスト１０によって回収される。
【００５９】
これにより、未登録利用者は、登録せずに駐車場２の一時利用を行うことができる。
【００６０】
この自転車駐車場統合管理システム４は、未登録利用者が登録して定期利用することができる。未登録利用者が定期利用する場合は、図１５に示す如く、処理がスタート（１９０）すると、未登録利用者は契約管理機１２の表示入力部４６により希望区画が満車であるか空車であるかを確認（１９１）する。
【００６１】
この確認（１９１）が空車の場合は、未登録利用者は契約管理機１２の表示入力部４４の表示にしたがい個人情報を入力操作して登録（１９２）し、利用者が割引制度適用等の特定資格に該当するか否かを判断（１９３）する。
【００６２】
この判断（１９３）が該当である場合は、契約管理機１２のカード発行部５２により登録カード７４が発行（１９４）され、管理人は資格確認を行い、管理用コンピュータ１４の記憶部６２に記録されているデータベースと発行する登録カード７４とに資格を設定（１９５）し、表示入力部４６により定期券の種類、期間、駐車場２の区画等を選択して入力（１９６）する。一方、この判断（１９３）が非該当である場合は、表示入力部４６により定期券の種類、期間、駐車場２の区画等を選択して入力（１９６）する。
【００６３】
定期券の種類等の入力（１９６）の後に、契約管理機１２の金銭処理部５６に定期入場料を入金すると、カード発行部５２及びシール発行部５４により定期券カード７６−１及び定期利用シール７８−１が発行（１９７）される。
【００６４】
利用者は、発行された定期利用シール７８−１を自転車に添付して定期券カード７６−１を入場用ゲートポスト８のカード読取部２２に挿入（１９８）すると、ゲート駆動部３２によりゲート６が開放動作するので、自転車を入場させて契約区画に駐車させてから、退場する（１９９）。
【００６５】
利用者は、自転車を退場させる場合に、例えばゲート６の自転車用の門扉部１６に並設した利用者の出入口から入場（２００）し、定期券カード７６−１を退場用ゲートポスト１０のカード読取部３８に挿入（２０１）すると、ゲート駆動部４２によりゲート６が開放動作され、カード読取機３８から定期券カード７６−１が排出され、自転車を退場（２０２）させることができ、エンド（２０３）にする。
【００６６】
一方、希望区画が満車であるか空車であるかの確認（１９１）が満車の場合は、その希望区画の空きを予約するか否を判断（２０４）する。この判断（２０４）において予約しない場合は、エンド（２０３）にジャンプする。
【００６７】
この判断（２０４）において予約する場合は、未登録利用者は契約管理機１２の表示入力部４６の表示にしたがい個人情報を入力操作して登録（２０５）し、利用者が割引制度適用等の特定資格に該当するか否かを判断（２０６）する。
【００６８】
この判断（２０６）が該当である場合は、契約管理機１２のカード発行部５２により登録カード７４が発行（２０７）され、管理人は資格確認を行い、管理用コンピュータ１４の記憶部６２に記録されているデータベースと発行する登録カード７４とに資格を設定（２０８）し、表示入力部４６により定期の予約条件（希望区画等）を選択して入力（２０９）する。一方、この判断（２０６）が非該当である場合は、表示入力部４６により定期の予約条件（希望区画等）を選択して入力（２０９）する。
【００６９】
前記予約条件の入力（２０９）の後に、挿入された登録カード７４にカード書換部５０により予約情報を書き込んで発行（２１０）し、利用者に通知はがきに自署させて提出（２１１）させ、エンド（２０３）にする。
【００７０】
これにより、未登録利用者は、駐車場２の定期利用を行うことができる。
【００７１】
この自転車駐車場統合管理システム４は、未登録利用者が登録して一時利用することができる。未登録利用者が一時利用する場合は、図１６に示す如く、処理がスタート（２１０）すると、未登録利用者は契約管理機１２の表示入力部４４の表示にしたがい個人情報を入力操作して登録（２１１）し、契約管理機１２のカード発行部５２により登録カード７４が発行（２１２）され、利用者が割引制度適用等の特定資格に該当するか否かを判断（２１３）する。
【００７２】
この判断（２１３）が該当である場合は、管理人は資格確認を行い、管理用コンピュータ１４の記憶部６２に記録されているデータベースと発行する登録カード７４とに資格を設定（２１４）し、入場用ゲートポスト８の表示入力部２０により一時利用の区画が満車であるか空車であるかを判断（２１５）する。一方、この判断（２１３）が非該当である場合は、一時利用の区画が満車であるか空車であるかを判断（２１５）する。
【００７３】
この判断（２１５）が空車の場合は、発行された登録カード７４を入場用ゲートポスト８のカード読取部２２に挿入（２１６）し、表示入力部２０により車種を選択して入力し、一時入場料を金銭処理部３０に入金する（２１７）と、カード読取部２２から登録カード７４を排出して戻し、シール発行部２８により一時利用シール７８−２が発行（２１８）される。
【００７４】
利用者は、発行された一時利用シール７８−２を自転車に添付し、前記（２１６）〜（２１８）の処理により開放動作されたゲート６から自転車を入場させて駐車させてから、退場する（２１９）。
【００７５】
利用者は、自転車を退場させる場合に、例えば、ゲート６の自転車用の門扉部１６に並設した利用者の出入口から入場（２２０）し、一時入場料の清算が必要か否かを判断（２２１）する。
【００７６】
この判断（２２１）において清算が必要な場合は、契約管理機１２の金銭処理部５６により追加料金を入金して清算（２２２）し、この清算完了を記録した登録カード７４を退場用ゲートポスト１０のカード読取部３８に挿入（２２３）する。この判断（２２１）において清算が不要な場合は、登録カード７４を退場用ゲートポスト１０のカード読取部３８に挿入（２２３）する。
【００７７】
退場用ゲートポスト１０は、登録カード７４の挿入によってゲート駆動部４２によりゲート６を開放動作させ、自転車を退場（２２４）させることができ、エンド（２２５）にする。なお、前記判断（２１５）が満車の場合は、エンド（２２５）にする。
【００７８】
これにより、未登録利用者は、駐車場２の一時利用を行うことができる。
【００７９】
この自転車駐車場統合管理システム４は、未登録利用者が登録して回数利用することができる。未登録利用者が回数利用する場合は、図１７に示す如く、処理がスタート（２３０）すると、未登録利用者は契約管理機１２の表示入力部４６の表示にしたがい個人情報を入力操作して登録（２３１）し、利用者が割引制度適用等の特定資格に該当するか否かを判断（２３２）する。
【００８０】
この判断（２３２）が該当である場合は、契約管理機１２のカード発行部５２により登録カード７４が発行（２３３）され、管理人は資格確認を行い、管理用コンピュータ１４の記憶部６２に記録されているデータベースと発行する登録カード７４とに資格を設定（２３４）し、契約管理機１２のカード読取部４８に登録カード７４を挿入し、表示入力部４６により回数券の車種・度数を選択して入力（２３５）する。一方、この判断（２３２）が非該当である場合は、契約管理機１２のカード読取部４８に登録カード７４を挿入し、表示入力部４６により回数券の車種・度数を選択して入力（２３５）する。
【００８１】
前記入力（２３５）の後に、契約管理機１２の金銭処理部５６に回数入場料を入金すると、カード発行部５２により回数利用カード７６−２が発行（２３６）される。
【００８２】
利用者は、発行された回数利用カード７６−２を入場用ゲートポスト８のカード読取部２２に挿入すると、カード書換部２４により回数利用カード７６−２に利用回数の減数が書込まれて、シール発行部２８により一時利用シール７８−２が発行（２３７）される。
【００８３】
利用者は、発行された一時利用シール７８−２を自転車に添付し、回数利用カード７６−２の挿入により開放動作されたゲート６から自転車を入場させて駐車させてから、退場する（２３８）。
【００８４】
利用者は、自転車を退場させる場合に、例えば、ゲート６の自転車用の門扉部１６に並設した利用者の出入口から入場（２３９）し、回数利用カード７６−２の残度数が足りるか否かを判断（２４０）する。
【００８５】
この判断（２４０）において残度数が足りない場合は、契約管理機１２の金銭処理部５６により回数利用カード７６−２の度数を買い足し（２４１）、回数利用カード７６−２を退場用ゲートポスト１０のカード読取部３８に挿入（２４２）する。この判断（２４０）において残度数が足りている場合は、回数利用カード７６−２を退場用ゲートポスト１０のカード読取部３８に挿入（２４０）する。
【００８６】
退場用ゲートポスト１０は、挿入された回数利用カード７６−２から駐車時間に応じて度数をカード書換部４０により追加減算して排出し、ゲート駆動部４２によりゲート６が開放動作し、自転車を退場（２４３）させることができ、エンド（２４４）にする。
【００８７】
これにより、未登録利用者は、駐車場２の回数利用を行うことができる。
【００８８】
このように、この自転車駐車場統合管理システム４は、未登録利用者が登録してから、定期利用や一時利用、回数利用することができる。
【００８９】
前記図１１に示す登録カード７４による定期利用において行って予約の更新・変更・取消をする場合には、図１８に示す如く、処理がスタート（２５０）すると、予約の更新や変更・取消か否かを判断（２５１）する。
【００９０】
この判断（２５１）において予約を本契約に更新する場合は、利用者は予約情報を書き込まれた登録カード７４を契約管理機１２のカード読取部４８に挿入（２５２）し、予約において提出した通知はがきに記載された契約案内書番号を表示入力部４６に入力（２５３）し、金銭処理部５６に定期入場料を入金すると、カード発行部５２により定期券カード７６−１が発行され、シール発行部５４により定期利用シール７８−１が発行（２５４）される。
【００９１】
利用者は、発行された定期利用シール７８−１を自転車に添付し、定期券カード７６−１を入場用ゲートポスト８のカード読取部２２に挿入（２５５）すると、ゲート駆動部３２によりゲート６が開放動作するので、自転車を入場させて契約区画に駐車させてから、退場する（２５６）。
【００９２】
利用者は、自転車を退場させる場合に、例えばゲート６の自転車用の門扉部１６に並設した利用者の出入口から入場（２５７）し、定期券カード７６−１を退場用ゲートポスト１０のカード読取部３８に挿入（２５８）すると、ゲート駆動部４２によりゲート６が開放動作し、カード読取機３８から定期券カード７６−１が排出され、自転車を退場（２５９）させることができ、エンド（２６０）にする。
【００９３】
一方、前記判断（２５１）において予約を変更・取消する場合は、利用者は予約情報を書き込まれた登録カード７４を契約管理機１２のカード読取部４８に挿入し、表示入力部４６により予約の取消を入力（２６１）すると、契約管理機１２のカード書換部５０により登録カード７４に予約無しの情報が書き込まれ、これに併せて管理用コンピュータ１４の記憶部６２に記録されているデータベースを更新（２６２）し、予約の変更があるか否かを判断（２６３）する。
【００９４】
この判断（２６３）において予約の変更が無く取消のみの場合は、エンド（２６０）にして登録カード７４を排出する。この判断（２６３）において予約の変更がある場合は、図１１の（１２２）へジャンプし、処理（１２２）〜（１２６）を実行する。
【００９５】
これにより、この自転車駐車場統合管理システム４は、定期利用における予約の更新・変更・取消を行うことができる。
【００９６】
この自転車駐車場統合管理システム４の発行した定期券カード７６−１によって定期利用する場合には、図１９に示す如く、処理がスタート（２７０）し、利用者が発行された定期利用シール７８−１を自転車に添付し、定期券カード７６−１を入場用ゲートポスト８のカード読取部２２に挿入（２７１）すると、ゲート駆動部３２によりゲート６が開放動作するので、自転車を入場させて契約区画に駐車させてから、退場する（２７２）。
【００９７】
利用者は、自転車を退場させる場合に、例えばゲート６の自転車用の門扉部１６に並設した利用者の出入口から入場（２７３）し、定期券カード７６−１を退場用ゲートポスト１０のカード読取部３８に挿入（２７４）すると、ゲート駆動部４２によりゲート６が開放動作し、カード読取機３８から定期券カード７６−１が排出され、自転車を退場（２７５）させることができ、エンド（２７６）にする。
【００９８】
これにより、利用者は、駐車場２の定期利用を行うことができる。
【００９９】
この自転車駐車場統合管理システム４の発行した定期券カードによって定期利用している際に、定期利用契約を更新する場合には、図２０に示す如く、処理がスタート（２８０）すると、契約管理機１２のカード読取部４８に定期券カード７６−１を挿入して金銭処理部５６に定期入場料を入金すると、カード発行部５２により更新済みの定期券カード７６−１が発行され、シール発行部５４により新たな定期利用シール７８−１が発行（２８１）される。
【０１００】
利用者は、発行された定期利用シール７８−１を自転車に添付し、更新した定期券カード７６−１を入場用ゲートポスト８のカード読取部２２に挿入（２８２）すると、ゲート駆動部３２によりゲート６が開放動作するので、自転車を入場させて契約区画に駐車させてから、退場する（２８３）。
【０１０１】
利用者は、自転車を退場させる場合に、例えばゲート６の自転車用の門扉部１６に並設した利用者の出入口から入場（２８４）し、定期券カード７６−１を退場用ゲートポスト１０のカード読取部３８に挿入（２８５）すると、ゲート駆動部４２によりゲート６が開放動作し、カード読取機３８から定期券カード７６−１が排出され、自転車を退場（２８６）させることができ、エンド（２８７）にする。
【０１０２】
これにより、利用者は、駐車場２の定期利用の更新を行うことができる。
【０１０３】
この自転車駐車場統合管理システム４の発行した定期券カード７６−１による定期利用契約を終了する場合には、図２１に示す如く、処理がスタート（２９０）すると、利用者は定期利用情報を書き込まれた定期券カード７６−１を契約管理機１２のカード読取部４８に挿入し、表示入力部４６により利用終了を入力（２９１）する。
【０１０４】
利用終了を入力（２９１）すると、契約管理機１２のカード書換部５０により定期券カード７６−１に利用終了の情報が書き込まれ、これに併せて管理用コンピュータ１４の記憶部６２に記録されているデータベースに利用終了の情報（更新猶予期間が０日に設定）が書き込まれて更新（２９２）され、エンド（２９３）する。
【０１０５】
これにより、利用者は、定期券カード７６−１による定期利用契約を終了することができる。
【０１０６】
この自転車駐車場統合管理システム４の発行した定期券カード７６−１の定期利用契約を変更・解約する場合には、図２２に示す如く、処理がスタート（３００）すると、定期利用契約の変更であるか解約であるかを判断（３０１）する。
【０１０７】
この判断（３０１）において定期利用契約の変更である場合は、契約管理機１２の表示入力部４６により変更先の区画が満車であるか空車であるかを確認（３０２）し、変更先の区画が満車であるか空車であるかを判断（３０３）する。
【０１０８】
この判断（３０３）において空車の場合は、利用者は契約管理機１２のカード読取部４８に定期券カード７６−１を挿入し、管理人は業務カード８０を用いて定期利用契約内容を変更（３０４）し、契約内容の変更に伴う定期利用料の変更があるか否かを判断（３０５）する。
【０１０９】
この判断（３０５）において変更がある場合は、利用者への返金があるか否かを判断（３０６）する。
【０１１０】
この判断（３０６）において返金がなく追加料金がある場合は、契約管理機１２の金銭処理部５６に追加料金を入金（３０７）すると、カード発行部５２により契約内容を変更した定期券カード７６−１が発行され、シール発行部５４により定期利用シール７８−１が発行（３０８）され、エンド（３０９）にする。
【０１１１】
前記判断（３０３）において満車の場合及び前記判断（３０５）において料金変更が無い場合は、処理（３０８）にジャンプする。
【０１１２】
また、前記判断（３０６）において返金がある場合は、契約管理機１２のカード発行部５２により契約内容を変更した定期券カード７６−１が発行され、シール発行部５４により定期利用シール７８−１が発行（３１０）され、契約管理機１２により精算書９０が発行（３１１）され、この精算書９０によって管理人による返金（３１２）が行われ、エンド（３０９）にする。
【０１１３】
一方、前記判断（３０１）において定期利用契約の解約である場合は、管理人は業務カード８０を用いて契約管理機１２により定期利用契約を解約（３１３）し、利用者への返金があるか否かを判断（３１４）する。
【０１１４】
この判断（３１４）において返金がある場合は、契約管理機１２により精算書９０が発行（３１１）され、この精算書９０によって管理人による返金（３１２）が行われ、エンド（３０９）にする。この判断（３１４）において返金が無い場合は、エンド（３０９）にする。
【０１１５】
これにより、利用者は、定期券カード７６−１の定期利用契約を変更・解約することができる。
【０１１６】
この自転車駐車場統合管理システム４の発行した回数利用カード７６−２によって回数利用する場合には、図２３に示す如く、処理がスタート（３２０）し、一時利用カード７６−２を入場用ゲートポスト８のカード読取部２２に挿入すると、カード書換部２４により回数利用カード７６−２に利用回数の減数が書込まれて、シール発行部２８により一時利用シール７８−２が発行（３２１）される。
【０１１７】
利用者は、発行された一時利用シール７８−２を自転車に添付し、回数利用カード７６−２の挿入により開放動作されたゲート６から自転車を入場させて駐車させてから、退場する（３２２）。
【０１１８】
利用者は、自転車を退場させる場合に、例えば、ゲート６の自転車用の門扉部１６に並設した利用者の出入口から入場（３２３）し、回数利用カード７６−２の残度数が足りるか否かを判断（３２４）する。
【０１１９】
この判断（３２４）において残度数が足りない場合は、契約管理機１２の金銭処理部５６により回数利用カード７６−２の度数を買い足し（３２５）て、回数利用カード７６−２を退場用ゲートポスト１０のカード読取部３８に挿入（３２６）する。この判断（３２４）において残度数が足りている場合は、回数利用カード７６−２を退場用ゲートポスト１０のカード読取部３８に挿入（３２６）する。
【０１２０】
退場用ゲートポスト１０は、挿入された回数利用カード７６−２から駐車時間に応じて度数をカード書換部４０により追加減算して排出し、ゲート駆動部４２によりゲート６が開放動作し、自転車を退場（３２７）させることができ、エンド（３２８）にする。
【０１２１】
これにより、利用者は、駐車場２の回数利用を行うことができる。
【０１２２】
この自転車駐車場統合管理システム４の発行した回数利用カード７６−２の回数利用契約を変更・解約する場合には、図２４に示す如く、処理がスタート（３３０）すると、回数利用契約の変更であるか解約であるかを判断（３３１）する。
【０１２３】
この判断（３３１）において回数利用契約の変更である度数買い足しの場合は、契約管理機１２の金銭処理部５６により回数利用カード７６−２の度数を買い足し（３３２）、エンド（３３３）にする。
【０１２４】
前記判断（３３１）において回数利用契約の解約である場合は、契約管理機１２により回数利用契約を解約（３３４）し、契約管理機１２により精算書９０が発行（３３５）され、この精算書９０によって管理人による返金（３３６）が行われ、エンド（３３３）にする。
【０１２５】
これにより、利用者は、回数利用カード７６−２の回数利用契約を変更・解約することができる。
【０１２６】
この自転車駐車場統合管理システム４の発行した回数利用契約を定期利用契約に変更する場合には、図２５に示す如く、処理がスタート（３４０）すると、利用者は契約管理機１２の表示入力部４６により希望区画が満車であるか空車であるかを確認（３４１）する。
【０１２７】
この確認（３４１）において空車の場合は、契約管理機１２のカード読取部４８に回数利用カード７６−２を挿入（３４２）し、表示入力部４６により定期券の種類、期間、駐車場２の区画等を選択して入力（３４３）し、金銭処理部５６に定期入場料を入金（回数利用カード７６−２の残度数分を相殺した差額）すると、カード発行部５２により定期券カード７６−１が発行され、シール発行部５４により定期利用シール７８−１が発行（３４４）される。
【０１２８】
利用者は、発行された定期利用シール７８−１を自転車に添付し、定期券カード７６−１を入場用ゲートポスト８のカード読取部２２に挿入（３４５）すると、ゲート駆動部３２によりゲート６が開放動作するので、自転車を入場させて契約区画に駐車させてから、退場する（３４６）。
【０１２９】
利用者は、自転車を退場させる場合に、例えばゲート６の自転車用の門扉部１６に並設した利用者の出入口から入場（３４７）し、定期券カード７６−１を退場用ゲートポスト１０のカード読取部３８に挿入（３４８）すると、ゲート駆動部４２によりゲート６が開放動作し、カード読取機３８から定期券カード７６−１が排出され、自転車を退場（３４９）させることができ、エンド（３５０）にする。
【０１３０】
一方、希望区画が満車であるか空車であるかの確認（３４１）において満車の場合は、その希望区画の空きを予約するか否を判断（３５１）する。この判断（３５１）において予約しない場合は、エンド（３５０）にジャンプする。
【０１３１】
この判断（３５１）において予約する場合は、利用者は契約管理機１２のカード読取部４８に回数利用カード７６−２を挿入（３５２）し、表示入力部４６により定期の予約条件（希望区画等）を選択して入力（３５３）すると、挿入された回数利用カード７６−２にカード書換部５０により予約情報を書き込んで発行（３５４）し、契約案内書番号を記載した通知はがきは提出済みか否かを判断（３５５）する。
【０１３２】
この判断（３５５）において通知はがきが未提出の場合は、表示入力部４６に通知はがきの提出を促す表示をして通知はがきに自署させて提出（３５６）させ、エンド（３５０）にする。この判断（３５５）において通知はがきが提出済みの場合は、エンド（３５０）にする。
【０１３３】
これにより、利用者は、駐車場２の回数利用を定期利用に変更することができる。
【０１３４】
前記図２５に示す回数利用契約から定期利用契約への変更において行って予約の更新・変更・取消をする場合には、図２６に示す如く、処理がスタート（３６０）すると、予約の更新や変更・取消か否かを判断（３６１）する。
【０１３５】
この判断（３６１）において予約を本契約に更新する場合は、利用者は予約情報が書き込まれた回数利用カード７６−２を契約管理機１２のカード読取部４８に挿入（３６２）し、予約において提出した通知はがきに記載された契約案内書番号を表示入力部４６により入力（３６３）し、金銭処理部５６に定期入場料を入金（回数利用カード７６−２の残度数分を相殺した差額）すると、カード発行部５２により定期券カード７６−１が発行され、シール発行部５４により定期利用シール７８−１が発行（３６４）される。
【０１３６】
利用者は、発行された定期利用シール７８−１を自転車に添付し、定期券カード７６−１を入場用ゲートポスト８のカード読取部２２に挿入（３６５）すると、ゲート駆動部３２によりゲート６が開放動作するので、自転車を入場させて契約区画に駐車させてから、退場する（３６６）。
【０１３７】
利用者は、自転車を退場させる場合に、例えばゲート６の自転車用の門扉部１６に並設した利用者の出入口から入場（３６７）し、定期券カード７６−１を退場用ゲートポスト１０のカード読取部３８に挿入（３６８）すると、ゲート駆動部４２によりゲート６が開放動作し、カード読取機３８から定期券カード７６−１が排出され、自転車を退場（３６９）させることができ、エンド（３７０）にする。
【０１３８】
一方、前記判断（３６１）において予約を変更・取消する場合は、利用者は予約情報を書き込まれた回数利用カード７６−２を契約管理機１２のカード読取部４８に挿入し、表示入力部４６により予約の取消を入力（３７１）すると、契約管理機１２のカード書換部５０により回数利用カード７６−２に予約無しの情報が書き込まれ、これに併せて管理用コンピュータ１４の記憶部６２に記録されているデータベースを更新（３７２）し、予約の変更があるか否かを判断（３７３）する。
【０１３９】
この判断（３７３）において予約の変更が無く取消のみの場合は、エンド（３６０）にして回数利用カード７６−２を排出する。この判断（３７３）において予約の変更がある場合は、図２５の（３５２）へジャンプし、処理（３５２）〜（３５６）を実行する。
【０１４０】
これにより、この自転車駐車場統合管理システム４は、回数利用契約からの定期利用契約への変更における予約の更新・変更・取消を行うことができる。
【０１４１】
この自転車駐車場統合管理システム４の発行した登録カード７４の登録内容を変更・登録抹消する場合には、図２７に示す如く、処理がスタート（３８０）すると、登録内容の変更であるか登録抹消であるかを判断（３８１）する。
【０１４２】
この判断（３８１）において登録内容の変更である場合は、割引制度適用等の特定資格に該当する変更であるか否かを判断（３８２）する。
【０１４３】
この判断（３８２）において特定資格に該当する変更である場合は、管理人は資格確認を行い、管理用コンピュータ１４の記憶部６２に記録されているデータベースと登録カード７４とに資格を設定（３８３）し、その他の変更があるか否かを判断（３８４）する。一方、この判断（３８２）において特定資格に非該当の変更である場合は、その他の変更があるか否かを判断（３８４）する。
【０１４４】
この判断（３８４）においてその他の変更がある場合は、管理人は業務カード８０を用いて契約管理機１２により登録カード７４の登録内容を変更（３８５）し、エンド（３８６）にする。この判断（３８４）において変更がない場合は、エンド（３８６）にする。
【０１４５】
一方、前記判断（３８１）において登録抹消である場合は、管理人は業務カード８０を用いて契約管理機１２により登録抹消して登録カード７４を回収（３８７）し、エンド（３８６）にする。
【０１４６】
これにより、利用者は、登録カード７４の登録内容の変更や登録抹消をすることができる。
【０１４７】
このように、この自転車駐車場統合管理システム４は、システムに登録した利用者に、定期利用や一時利用、回数利用等の各種の利用形態を提供することができる。また、この自転車駐車場統合管理システム４は、未登録利用者であっても、一時利用の利用形態を提供することができる。
【０１４８】
この自転車駐車場統合管理システム４は、これらの未登録及び登録済みにおける利用形態の各処理を、前記図１０〜図２７のフローチャートに示す如く行う。これら図１０〜図２７のフローチャートに示す未登録及び登録済みにおける利用形態は、図２８に示す如く分類される。
【０１４９】
また、この自転車駐車場統合管理システム４の稼働状況は、図２９に示す如く、電車の始発から終電までの運転時間帯と終電から始発までの非運転時間帯とにおいて異ならせて設定する。運転時間帯においては、管理人が駐在（休憩時間を除く）し、ゲート６を自動開閉させるとともにラッシュ時間帯では開放状態とし、契約管理機１２や入・退場用ゲートポスト８・１０を稼働状態とし、利用者を駐車場２に入退場可能とする。非運転時間帯においては、管理人が駐在せず、ゲート６を閉鎖し、契約管理機１２や入・退場用ゲートポスト８・１０を非稼働状態とし、利用者を駐車場２から退場のみ可能とする。
【０１５０】
このように、この自転車駐車場統合管理システム４は、契約管理機１２とゲート６と入場用ゲートポスト８と退場用ゲートポスト１０と管理用コンピュータ１４とを設け、契約管理機１２により登録カード７４や定期券カード７６−１等の契約カード７６及び定期利用シール７８−１等の契約シール７８を発行する。
【０１５１】
自転車駐車場統合管理システム４は、利用者が契約管理機１２の発行する登録カード７４あるいは契約カード７６を入場用ゲートポスト８に挿入することにより、ゲート６を開放動作させて自転車を駐車場２に入場させることができ、定期利用シール７８−１等の契約シール７８を自転車に添付することにより、契約を明示することができ、定期の予約により希望する区画に駐車させることができ、定期の解約・変更、予約の変更・取消、登録の変更・抹消をすることができる。
【０１５２】
この入場用ゲートポスト８は、未登録利用者が自転車を駐車場２に入場させる際に、金銭処理部３０への一時利用入場料の入金と表示入力部２０の表示にしたがった入力操作とにより動作され、契約カード７６及び契約シール７８として簡易カード７６−３及び一時利用シール７８−２を発行するとともにゲート駆動部３２によりゲート６を開放動作させることにより、未登録利用者も駐車させることができる。
【０１５３】
また、自転車駐車場統合管理システム４は、登録カード７４あるいは契約カード７６を退場用ゲートポスト１０に挿入することにより、ゲート６を開放動作させて自転車を駐車場２から退場させることができ、利用者に契約内容によって駐車場２の様々な利用形態を提供することができる。
【０１５４】
この退場用ゲートポスト１０は、未登録利用者が自転車を駐車場２から退場させる際に、必要に応じて契約管理機１２による一時利用入場料の清算をした後に、前記簡易カード７６−３を挿入してゲート６を開放動作させることにより、未登録利用者も退場することができる。
【０１５５】
さらに、この自転車駐車場統合管理システム４は、契約管理機１２と入場用ゲートポスト８と退場用ゲートポスト１０とによる処理データを管理する管理用コンピュータ１４によって、個人情報や駐車場２の利用状況をデータベースとして蓄積して各種のデータを提供することができる。
【０１５６】
このため、この自転車駐車場統合管理システム４は、自転車駐車場２の管理を自動化し得て、管理業務を合理化することができ、コストダウンを果たすことができる。また、この自転車駐車場統合管理システム４は、利用者に駐車場２の様々な利用形態を提供することができ、利用者の利便性を向上することができる。
【０１５７】
なお、この実施例の自転車駐車場統合管理システム４は、１台の管理用コンピュータ１４に対して１台の管理契約機１２とゲート６及び入退場用ゲートポスト８・１０からなる１台のゲートセット９２とを接続したが、図３０に示す如く、複数台の契約管理機１２とゲートセット９２と、例えば、３台の契約管理機１２と４台のゲートセット９２とを接続することにより、広い駐車場２に対応して契約管理機１２及びゲートセット９２とを多数設定することができ、利用者の利便性を向上することができる。
【０１５８】
また、この実施例の自転車駐車場統合管理システム４は、１台のゲートセット９２に１台の入退場用のゲート６を設けたが、入場用ゲートポスト８に対となる入場用ゲート６を設けるとともに退場用ゲートポスト１０に対となる退場用ゲート６を設けることもできる。
【０１５９】
さらに、この実施例の自転車駐車場統合管理システム４は、１つの駐車場２にゲート６と入退場用ゲートポスト８・１０と管理契約機１２と管理用コンピュータ１４とを設けたが、図３１に示す如く、中心となる中核駐車場２に対して相互接続される複数の第１〜第５周辺駐車場２−１〜２−５を設け、中核駐車場２の中核管理システム４と第１〜第５周辺駐車場２−１〜２−５の第１〜第５周辺管理システム４−１〜４−５とをデータ転送器９４を介して接続することにより、複数の駐車場２、２−１〜２−５のデータを中核管理システム４の管理用コンピュータ１４により管理することができ、管理業務を合理化することができ、コストダウンを果たすことができる。
【０１６０】
また、第１〜第５周辺駐車場２−１〜２−５の第１〜第５周辺管理システム４−１〜４−５は、中核管理システム４に対して機能を限定した構成とすることもできる。
【０１６１】
例えば、第１周辺駐車場２−１は、一時利用及び定期利用のみの可能な駐車場とし、第１周辺管理システム４−１に一時利用及び定期利用に機能限定した第１周辺管理用コンピュータ１４−１を設け、この第１周辺管理用コンピュータ１４−１に一時利用時の清算機能に限定した第１周辺契約管理機１２−１を接続することにより、システムのコストダウンを果たすことができる。
【０１６２】
また、第２周辺駐車場２−２は、定期利用のみの駐車場とし、第２周辺管理システム４−２に定期利用に機能限定した第２周辺管理用コンピュータ１４−２を設け、中核管理システム４の中核契約管理機１２あるいは第１周辺管理システム４−１の第１周辺契約管理機１２−１を利用して第２周辺駐車場２−２の定期利用契約を行わせることにより、第２周辺契約管理機１２−２を不要にし得て、第２周辺管理システム４−２のシステムを簡素化し得て、コストダウンを果たすことができる。
【０１６３】
【発明の効果】
このように、この発明の自転車駐車場統合管理システムは、契約管理機とゲートと入場用ゲートポストと退場用ゲートポストと管理用コンピュータとを設けており、登録利用者は契約管理機の発行する登録カードあるいは契約カードを入場用ゲートポストに挿入することによりゲートを開放動作させて自転車を駐車場に入場させることができるとともに、契約シールを自転車に添付して契約を明示することができ、また、登録カードあるいは契約カードを退場用ゲートポストに挿入することにより、ゲートを開放動作させて自転車を駐車場から退場させることができ、利用者に契約内容によって駐車場の様々な利用形態を提供することができる。また、この管理システムは、契約管理機と入場用ゲートポストと退場用ゲートポストとによる処理データを管理する管理用コンピュータによって、個人情報や駐車場の利用状況をデータベースとして蓄積して各種のデータを提供することができる。
【０１６４】
このため、この自転車駐車場統合管理システムは、自転車駐車場の管理を自動化し得て、管理業務を合理化し得て、コストダウンを果たすことができ、また、利用者に駐車場の様々な利用形態を提供することができ、利用者の利便性を向上することができる。
【図面の簡単な説明】
【図１】この発明の実施例を示す自転車駐車場統合管理システムの概略構成図である。
【図２】自転車駐車場統合管理システムのブロック図である。
【図３】自転車駐車場統合管理システムの管理用コンピュータと契約管理機とを説明するブロック図である。
【図４】自転車駐車場統合管理システムの管理用コンピュータとゲート及び入退場用ゲートポストとを説明するブロック図である。
【図５】ゲートのブロック図である。
【図６】入場用ゲートポストのブロック図である。
【図７】退場用ゲートポストのブロック図である。
【図８】契約管理機のブロック図である。
【図９】管理用コンピュータのブロック図である。
【図１０】個人情報の登録カード作成のフローチャートである。
【図１１】登録カードによる定期利用のフローチャートである。
【図１２】登録カードによる回数利用のフローチャートである。
【図１３】登録カードによる一時利用のフローチャートである。
【図１４】未登録利用者による一時利用のフローチャートである。
【図１５】未登録利用者による登録してからの定期利用のフローチャートである。
【図１６】未登録利用者による登録してからの一時利用のフローチャートである。
【図１７】未登録利用者による登録してからの回数利用のフローチャートである。
【図１８】定期利用の予約の更新・変更・取消のフローチャートである。
【図１９】定期券カードによる定期利用のフローチャートである。
【図２０】定期利用契約の更新のフローチャートである。
【図２１】定期利用契約の終了のフローチャートである。
【図２２】定期利用契約の変更・解約のフローチャートである。
【図２３】回数利用カードによる回数利用のフローチャートである。
【図２４】回数利用契約の変更・解約のフローチャートである。
【図２５】回数利用契約から定期利用契約への変更のフローチャートである。
【図２６】回数利用契約から定期利用契約への変更における予約の更新・変更・取消のフローチャートである。
【図２７】登録内容の変更・抹消のフローチャートである。
【図２８】利用形態の分類を示す図である。
【図２９】システムの稼働状況のタイムチャートである。
【図３０】別の実施例を示す自転車駐車場統合管理システムのブロック図である。
【図３１】さらに別の実施例を示す自転車駐車場統合管理システムのブロック図である。
【符号の説明】
２  自転車駐車場
４  自転車駐車場統合管理システム
６  ゲート
８  入場用ゲートポスト
１０  退場用ゲートポスト
１２  契約管理機
１４  管理用コンピュータ
７４  登録カード
７６  契約カード
７６−１  定期券カード
７６−２  回数利用カード
７６−３  簡易カード
７６−４  臨時カード
７８  契約シール
７８−１  定期利用シール
７８−２  一時利用シール
【図１】
0004517159.tif 000002
【図２】
0004517159.tif 000003
【図３】
0004517159.tif 000004
【図４】
0004517159.tif 000005
【図５】
0004517159.tif 000006
【図６】
0004517159.tif 000007
【図７】
0004517159.tif 000008
【図８】
0004517159.tif 000009
【図９】
0004517159.tif 000010
【図１０】
0004517159.tif 000011
【図１１】
0004517159.tif 000012
【図１２】
0004517159.tif 000013
【図１３】
0004517159.tif 000014
【図１４】
0004517159.tif 000015
【図１５】
0004517159.tif 000016
【図１６】
0004517159.tif 000017
【図１７】
0004517159.tif 000018
【図１８】
0004517159.tif 000019
【図１９】
0004517159.tif 000020
【図２０】
0004517159.tif 000021
【図２１】
0004517159.tif 000022
【図２２】
0004517159.tif 000023
【図２３】
0004517159.tif 000024
【図２４】
0004517159.tif 000025
【図２５】
0004517159.tif 000026
【図２６】
0004517159.tif 000027
【図２７】
0004517159.tif 000028
【図２８】
0004517159.tif 000029
【図２９】
0004517159.tif 000030
【図３０】
0004517159.tif 000031
【図３１】
0004517159.tif 000032